(57)【要約】  本発明は、端子ボックスによって意匠性が損なわれず、かつ、端子ボックスのメンテナンスが容易な太陽電池モジュール及びその敷設構造を提供する。所望の範囲に合わせて太陽電池モジュールを敷設可能な太陽電池モジュールの設置方法を提供する。  鉛直方向に立ち上がった壁面に複数の太陽電池モジュールを敷設し、隣接する２つの太陽電池モジュールが重なり部分をもち、端子ボックスは、隣接する２つの太陽電池モジュールの間であって、かつ、重なり領域に配されており、下記の（１）又は（２）の条件を満たす構成とする。（１）端子ボックスの一部が隙間から外部に露出している。（２）隙間の一部を他の部材が塞いでおり、他の部材は、隙間から着脱可能であって、隙間から取り外したときに、端子ボックスの一部が隙間から外部に露出する。
2017082351.tif 000002
【特許請求の範囲】
【請求項１】
実質的に鉛直方向に立ち上がった壁面に複数の太陽電池モジュールが敷設され、隣接する２つの太陽電池モジュールが重なり部分をもつ太陽電池モジュールの敷設構造であって、
前記太陽電池モジュールは、端子ボックスを有し、
前記端子ボックスの大部分は、前記隣接する２つの太陽電池モジュールの間の隙間であって、かつ、前記重なり部分に配されており、
下記の（１）又は（２）の条件を満たすことを特徴とする太陽電池モジュールの敷設構造。
（１）前記端子ボックスの一部が前記隙間から外部に露出している。
（２）前記隙間の一部を他の部材が塞いでおり、当該他の部材は、前記隙間から着脱可能であって、前記隙間から取り外したときに、前記端子ボックスの一部が前記隙間から外部に露出する。
【請求項２】
前記隣接する２つの太陽電池モジュールは、前記壁面に対して傾斜しており、前記壁面を正面視したときに重なっていることを特徴とする請求項１に記載の太陽電池モジュールの敷設構造。
【請求項３】
前記太陽電池モジュールは、対向する上辺及び下辺を有しており、
前記隣接する２つの太陽電池モジュールのうち、一方の太陽電池のモジュールの下辺に沿った領域が他方の太陽電池モジュールの上辺に沿った領域と重なっていることを特徴とする請求項２に記載の太陽電池モジュールの敷設構造。
【請求項４】
前記太陽電池モジュールは、光エネルギーを電気エネルギーに変換可能な発電可能領域を有し、
前記隣接する２つの太陽電池モジュールの重なり部分は、前記隣接する２つの太陽電池モジュールのうち、前記壁面側で重なる太陽電池モジュールの発電可能領域と重なっていることを特徴とする請求項１〜３のいずれかに記載の太陽電池モジュールの敷設構造。
【請求項５】
前記太陽電池モジュールは、前記発電可能領域に１又は複数の太陽電池セルが電気的に直列接続された太陽電池セル群を複数備えており、
前記壁面側の太陽電池モジュールにおいて、前記重なり部分に位置する太陽電池セル群は、それ以外の太陽電池セル群と電気的に並列接続されていることを特徴とする請求項４に記載の太陽電池モジュールの敷設構造。
【請求項６】
前記太陽電池モジュールは、前記発電可能領域に複数の太陽電池セルが電気的に直列接続された太陽電池セル群を備えており、
前記太陽電池セルは、２つの電極層と、前記２つの電極層の間に光電変換部が介在したものであり、
一の太陽電池セルの電極層は、他の太陽電池セルの電極層と直接接することによって、前記他の太陽電池セルと電気的に直列接続されていることを特徴とする請求項４又は５に記載の太陽電池モジュールの敷設構造。
【請求項７】
前記太陽電池セルは、２つの電極層と、前記２つの電極層の間に光電変換部が介在したものであり、
前記重なり部分に位置する太陽電池セル群は、それ以外の太陽電池セル群と共通の電極層を介して電気的に並列接続されていることを特徴とする請求項５又は６に記載の太陽電池モジュールの敷設構造。
【請求項８】
前記太陽電池モジュールを前記壁面に対して固定する固定部材を有し、
前記隣接する２つの太陽電池モジュールのうち、一方の太陽電池モジュールの端部は、前記固定部材によって固定された自由端であり、
当該自由端と前記壁面の間に他方の太陽電池モジュールの一部が進入して前記重なり部分を形成していることを特徴とする請求項１〜７のいずれかに記載の太陽電池モジュールの敷設構造。
【請求項９】
前記隣接する２つの太陽電池モジュールは、前記壁面に対して傾斜しており、
前記端子ボックスは、筐体と、ケーブル部材を有し、
前記筐体は、内部空間と外部を連通する開口と、前記開口を開閉可能な開閉部材を有し、
前記開口は、前記隣接する２つの太陽電池モジュールのうち、一方の太陽電池モジュールの傾斜方向を向いており、
前記ケーブル部材の一部は、前記筐体の内部空間に収納されており、前記開口を開放した状態において前記開口から外部に露出することを特徴とする請求項１〜８のいずれかに記載の太陽電池モジュールの敷設構造。
【請求項１０】
前記太陽電池モジュールは、下辺を有するものであって、光エネルギーを電気エネルギーに変換可能な発電可能領域を有し、
前記隣接する２つの太陽電池モジュールのうち、前記壁面側で重なる太陽電池モジュールは、前記発電可能領域が前記重なり部分を避けるように前記下辺側に偏って配されていることを特徴とする請求項１〜３のいずれかに記載の太陽電池モジュールの敷設構造。
【請求項１１】
実質的に鉛直方向に立ち上がった壁面に対して、他の太陽電池モジュールと重なり部分をもって傾斜して敷設される太陽電池モジュールであって、
受光面と、端子ボックスを有し、
前記端子ボックスの大部分は、前記他の太陽電池モジュールとの間の隙間であって、かつ、前記重なり部分に配されるものであり、
前記端子ボックスは、筐体と、ケーブル部材を有し、
前記筐体は、内部空間と外部を連通する開口と、前記開口を開閉可能な開閉部材を有し、
前記開口は、前記受光面に対する直交方向に対して交差する方向を向いており、
前記ケーブル部材の一部は、前記筐体の内部空間に収納されており、前記開口を開放した状態において前記開口から外部に露出することを特徴とする太陽電池モジュール。
【請求項１２】
前記開口は、前記傾斜方向を向いていることを特徴とする請求項１１に記載の太陽電池モジュール。
【請求項１３】
実質的に鉛直方向に立ち上がった壁面の所定の範囲に複数の太陽電池モジュールを設置し、隣接する太陽電池モジュールの間で重なり部分をもって並設する太陽電池モジュールの設置方法であって、
前記壁面の所定の範囲の幅又は高さから前記重なり部分の幅を調整して、前記所定の範囲全域に太陽電池モジュールを設置することを特徴とする太陽電池モジュールの設置方法。
【請求項１４】
隣接する太陽電池モジュールの間で重なり部分をもって実質的に鉛直方向に並設する太陽電池モジュールの設置方法であって、
前記壁面の所定の範囲の高さから前記重なり部分の幅を調整して、前記所定の範囲全域に太陽電池モジュールを設置することを特徴とする請求項１３に記載の太陽電池モジュールの設置方法。
【発明の詳細な説明】
【技術分野】
【０００１】
本発明は、ベランダや建物等の壁面に太陽電池モジュールを敷設する太陽電池モジュールの敷設構造に関する。また、太陽電池モジュールの敷設構造に採用可能な太陽電池モジュールに関する。さらに前記壁面に設置する際の太陽電池モジュールの設置方法に関する。
【背景技術】
【０００２】
従来から一般家屋への太陽電池モジュールの設置は、日射量が多く受光しやすいという点から、高出力のモジュールを屋根に設置することが主流である。
しかしながら、屋根への太陽電池モジュールの設置面積は、非常に限られているので、近年では、新たな太陽電池モジュールの設置場所が模索されている。そこで、太陽電池モジュールの設置場所の一案としてベランダや壁等などの壁面に太陽電池モジュールを設置することが提案されている（例えば、特許文献１）。【０００３】
特許文献１に記載の外装材設置構造では、複数のソーラーパネルを壁面に対して平行となるように取り付け、これらソーラーパネルを外装材として使用している。
【先行技術文献】
【特許文献】
【０００４】
【特許文献１】特開２０１０−９０７０１号公報
【発明の概要】
【発明が解決しようとする課題】
【０００５】
特許文献１に記載の外装材設置構造は、ソーラーパネルの裏面に端子ボックス及び接続配線が設けられており、複数のソーラーパネルの受光面が１つの略平面となるように設置されている。そのため、ソーラーパネルの裏面側にメンテナンス作業を行うための作業スペースを設ける必要がある。
しかしながら、作業スペースを裏面側に設けると、壁面に対して離反することとなり、設置部分とその他の部分との間で段差が生まれてしまう。すなわち、ソーラーパネルが壁面から浮き上がった状態でランナー等の固定金具に固定されることとなり、設置部分とそれ以外の部分との間で一体感がなく、壁面全体として意匠性が大きく損なわれるおそれがある。【０００６】
また、特許文献１に記載の外装材設置構造において、作業スペースを設けずに直接壁面にソーラーパネルを設置した場合には、ソーラーパネルの設置部分とその他の部分との間の段差が小さくなり、設置部分以外の部分との一体感が生むことができる。しかしながら、メンテナンス作業を行う際には、壁面からソーラーパネルを取り外して作業スペースを確保する必要があり、メンテナンス作業が煩わしくなるという問題がある。【０００７】
ところで、特許文献１に記載の外装材設置構造において、壁面との一体感を持たせる方策として、壁面全面をソーラーパネルで覆う方策がある。しかしながら、設置する壁面は常に同じ大きさではない。そのため、所望の設置範囲（壁面全体）に合わせて設置するには、その設置範囲に合わせた大きさのソーラーパネルを敷き詰める必要がある。
逆にいうと、特許文献１に記載の外装材設置構造は、１つの規格で定まった大きさのソーラーパネルを用いて壁面に設置できる範囲は、一義的に決まっている。そのため、様々な設置範囲に合わせてソーラーパネルを設置することができない問題がある。
仮に設置するソーラーパネルの規格が設置範囲に合わないと、ソーラーパネルの大きさがその設置範囲にぴったりと収まらずに、余分な隙間が形成されるおそれがある。すなわち、当該隙間部分の周囲では、設置部分とその他の部分との間で段差が形成され、壁面全体として意匠性が大きく損なわれるおそれがある。【０００８】
そこで、本発明は、端子ボックスを備え、端子ボックスの存在によって意匠性が損なわれず、かつ、端子ボックスのメンテナンスが容易な太陽電池モジュールの敷設構造及び太陽電池モジュールを提供することを目的とする。また、所望の範囲に合わせて太陽電池モジュールを敷設可能な太陽電池モジュールの設置方法を提供することを目的とする。
【課題を解決するための手段】
【０００９】
上記した課題を解決するための本発明の一つの様相は、実質的に鉛直方向に立ち上がった壁面に複数の太陽電池モジュールが敷設され、隣接する２つの太陽電池モジュールが重なり部分をもつ太陽電池モジュールの敷設構造であって、前記太陽電池モジュールは、端子ボックスを有し、前記端子ボックスの大部分は、前記隣接する２つの太陽電池モジュールの間の隙間であって、かつ、前記重なり部分に配されており、下記の（１）又は（２）の条件を満たす太陽電池モジュールの敷設構造である。
（１）前記端子ボックスの一部が前記隙間から外部に露出している。
（２）前記隙間の一部を他の部材が塞いでおり、当該他の部材は、前記隙間から着脱可能であって、前記隙間から取り外したときに、前記端子ボックスの一部が前記隙間から外部に露出する。【００１０】
ここでいう「重なり部分」とは、隣接する太陽電池モジュールのうち、一方の太陽電池モジュールを正面視したときに、隣接する太陽電池モジュール同士が重なる部分を表す。
ここでいう「大部分」とは、基準物全体の８０パーセント以上の範囲をいう。すなわち、「端子ボックスの大部分」とは、端子ボックス全体の８０パーセント以上の部分をいう。
ここでいう「実質的に鉛直方向」とは、鉛直方向（水平面に対して９０度となる方向）だけではなく、鉛直方向に対して若干傾斜した方向も含む。具体的には、「実質的に鉛直方向」には、鉛直方向に対して±５度以内の範囲の傾斜を許容する。【００１１】
本様相によれば、端子ボックスは、隣接する太陽電池モジュールの間の隙間であって重なり部分に配されている。すなわち、隣接する太陽電池モジュールのうち、一方の太陽電池モジュールの端部又はその近傍に端子ボックスが配されている。そのため、端子ボックスは、重なり方向（太陽電池モジュールが重畳する方向）において他方の太陽電池モジュールの存在によって外部から覆い隠されるので、壁面を正面視したときに、端子ボックスが見えにくく、太陽電池モジュールのみが設置されているように見える。それ故に、意匠性が高い。
本様相によれば、隣接する太陽電池モジュールの間の隙間から端子ボックスの一部が露出しているか、他の部材を取り外すことで隣接する太陽電池モジュールの間の隙間から端子ボックスの一部が露出可能となっている。そのため、端子ボックスのメンテナンス作業を一方の太陽電池モジュールの受光面の広がり方向（受光面に対する直交方向に対して交差する方向）から行うことができる。すなわち、太陽電池モジュールを敷設した状態で、端子ボックスを取り外さなくてもメンテナンス作業等を行うことが可能である。
本様相によれば、端子ボックスのメンテナンス作業を一方の太陽電池モジュールの受光面の広がり方向から行うことができるので、裏面側のメンテナンススペースも省略でき、壁面と太陽電池モジュールの距離を近接させることができる。そのため、太陽電池モジュールと壁面との間で生じる段差を少なくすることができ、意匠性の高い太陽電池モジュールの敷設構造となる。【００１２】
上記の発明において、前記端子ボックスの一部は、前記２つの太陽電池モジュールの並び方向において外部に露出していることが好ましい。【００１３】
好ましい様相は、前記隣接する２つの太陽電池モジュールは、前記壁面に対して傾斜しており、前記壁面を正面視したときに重なっていることである。【００１４】
本様相によれば、隣接する太陽電池モジュールは壁面に対して傾斜しており、壁面に対して垂直方向に重なっているので、従来に比べて、太陽光等の光を受けやすく、発電効率を向上できるとともに、敷設面積を小さくすることもできる。【００１５】
より好ましい様相は、前記太陽電池モジュールは、対向する上辺及び下辺を有しており、前記隣接する２つの太陽電池モジュールのうち、一方の太陽電池のモジュールの下辺に沿った領域が他方の太陽電池モジュールの上辺に沿った領域と重なっていることである。【００１６】
本様相によれば、隣接する太陽電池モジュールが上下方向に重なっており、辺に沿って重なっているため、局所的に太陽電池モジュールの受光部分が狭くならず、局所的なホットスポットの発生等の不具合が発生しにくい。【００１７】
好ましい様相は、前記太陽電池モジュールは、光エネルギーを電気エネルギーに変換可能な発電可能領域を有し、前記隣接する２つの太陽電池モジュールの重なり部分は、前記隣接する２つの太陽電池モジュールのうち、前記壁面側で重なる太陽電池モジュールの発電可能領域と重なっていることである。【００１８】
本様相によれば、壁面側の太陽電池モジュールの発電可能領域に入射側の太陽電池モジュールを重ねて配置しているため、太陽電池モジュールを敷設する際に各太陽電池モジュールの位置合わせが容易である。【００１９】
ところで、本様相によれば、隣接する２つの太陽電池モジュールの重なり部分は、壁面を基準として壁面側の太陽電池モジュールの発電可能領域と重なっている。すなわち、太陽電池モジュールの受光面に対して交差する方向に光が入ってきたときに、入射側の太陽電池モジュールの影が壁面側の太陽電池モジュールの発電可能領域に重なりやすくなっている。そのため、通常の太陽電池モジュールを用いた場合、重なり部分において発電しにくくなり、ホットスポットが発生しやすくなってしまう懸念がある。【００２０】
そこで、より好ましい様相は、前記太陽電池モジュールは、前記発電可能領域に１又は複数の太陽電池セルが電気的に直列接続された太陽電池セル群を複数備えており、前記壁面側の太陽電池モジュールにおいて、前記重なり部分に位置する太陽電池セル群は、それ以外の太陽電池セル群と電気的に並列接続されていることである。【００２１】
本様相によれば、壁面側の太陽電池モジュールにおいて、重なり部分に位置する太陽電池セル群は、それ以外の太陽電池セル群と電気的に並列接続されている。すなわち、壁面側の太陽電池モジュールは、重なり部分を迂回した回路を形成されており、遮光側の太陽電池モジュールの影による出力低下やホットスポットの発生を防止できる。また、壁面側の太陽電池モジュールにおいて、重なり部分にある太陽電池セルが短絡しても、それ以外の太陽電池セル群で閉回路を形成できるので、壁面側の太陽電池モジュール全体が短絡することを防止できる。【００２２】
より好ましい様相は、前記太陽電池モジュールは、前記発電可能領域に複数の太陽電池セルが電気的に直列接続された太陽電池セル群を備えており、前記太陽電池セルは、２つの電極層と、前記２つの電極層の間に光電変換部が介在したものであり、一の太陽電池セルの電極層は、他の太陽電池セルの電極層と直接接することによって、前記他の太陽電池セルと電気的に直列接続されていることである。【００２３】
本様相によれば、電極層を介して電気的に直列接続されているため、新たに配線等を接続する必要がなく、作業性が向上するとともに材料コストも低減できる。【００２４】
より好ましい様相は、前記太陽電池セルは、２つの電極層と、前記２つの電極層の間に光電変換部が介在したものであり、前記重なり部分に位置する太陽電池セル群は、それ以外の太陽電池セル群と共通の電極層を介して電気的に並列接続されていることである。【００２５】
本様相によれば、共通の電極層を介して電気的に並列接続されているため、新たに配線等を接続する必要がなく、作業性が向上するとともに材料コストも低減できる。【００２６】
好ましい様相は、前記太陽電池モジュールを前記壁面に対して固定する固定部材を有し、前記隣接する２つの太陽電池モジュールのうち、一方の太陽電池モジュールの端部は、前記固定部材によって固定された自由端であり、当該自由端と前記壁面の間に他方の太陽電池モジュールの一部が進入して前記重なり部分を形成していることである。【００２７】
本様相によれば、固定部材によって太陽電池モジュールが固定され、太陽電池モジュールの端部は自由端となっており、一方の太陽電池モジュールの端部と壁面との間の隙間に他方の太陽電池モジュールの少なくとも端部が挿入されている。そのため、隣接する太陽電池モジュール間で重なり部分を形成しやすい。【００２８】
好ましい様相は、前記隣接する２つの太陽電池モジュールは、前記壁面に対して傾斜しており、前記端子ボックスは、筐体と、ケーブル部材を有し、前記筐体は、内部空間と外部を連通する開口と、前記開口を開閉可能な開閉部材を有し、前記開口は、前記隣接する２つの太陽電池モジュールのうち、一方の太陽電池モジュールの傾斜方向を向いており、前記ケーブル部材の一部は、前記筐体の内部空間に収納されており、前記開口を開放した状態において前記開口から外部に露出することである。【００２９】
本様相によれば、ケーブル部材の断線等や太陽電池パネルの短絡等を確認することが容易である。【００３０】
上記した様相において、隣接する２つの太陽電池モジュールは、実質的に平行となるように壁面に対して傾斜していることが好ましい。【００３１】
ここでいう「実質的に平行」とは、完全に平行である状態（例えば、壁面に対する傾斜角が同一）だけではなく、完全に平行である状態から若干傾いた状態（例えば、壁面に対する傾斜角の差が３度以内）も含む。【００３２】
好ましい様相は、前記太陽電池モジュールは、下辺を有するものであって、光エネルギーを電気エネルギーに変換可能な発電可能領域を有し、前記隣接する２つの太陽電池モジュールのうち、前記壁面側で重なる太陽電池モジュールは、前記発電可能領域が前記重なり部分を避けるように前記下辺側に偏って配されていることである。【００３３】
本様相によれば、壁面側の太陽電池モジュールの発電可能領域が重なり部分を避けるように偏って配されているため、ホットスポットが生じにくく、安全性と信頼性が高い。【００３４】
本発明の一つの様相は、実質的に鉛直方向に立ち上がった壁面に対して、他の太陽電池モジュールと重なり部分をもって傾斜して敷設される太陽電池モジュールであって、受光面と、端子ボックスを有し、前記端子ボックスの大部分は、前記他の太陽電池モジュールとの間の隙間であって、かつ、前記重なり部分に配されるものであり、前記端子ボックスは、筐体と、ケーブル部材を有し、前記筐体は、内部空間と外部を連通する開口と、前記開口を開閉可能な開閉部材を有し、前記開口は、前記受光面に対する直交方向に対して交差する方向を向いており、前記ケーブル部材の一部は、前記筐体の内部空間に収納されており、前記開口を開放した状態において前記開口から外部に露出する太陽電池モジュールである。【００３５】
本様相によれば、壁面を正面視したときに、端子ボックスが見えにくく、意匠性が高い。
本様相によれば、太陽電池モジュールを敷設した状態で、端子ボックスを取り外さなくてもメンテナンス作業等を行うことが可能である。【００３６】
好ましい様相は、前記開口は、前記傾斜方向を向いていることである。【００３７】
本様相によれば、ケーブル部材の断線等や太陽電池パネルの短絡等を確認することが容易である。【００３８】
本発明の一つの様相は、実質的に鉛直方向に立ち上がった壁面の所定の範囲に複数の太陽電池モジュールを設置し、隣接する太陽電池モジュールの間で重なり部分をもって並設する太陽電池モジュールの設置方法であって、前記壁面の所定の範囲の幅又は高さから前記重なり部分の幅を調整して、前記所定の範囲全域に太陽電池モジュールを設置する太陽電池モジュールの設置方法である。【００３９】
本様相によれば、重なり部分の幅を調整することによって、所定の範囲内に収まるように太陽電池モジュールを敷き詰めることができるので、たとえ規格化された１種類のパネルを用いたとしても、様々な壁面にあった寸法で太陽電池モジュールを設置することが可能である。例えば、壁面全面に太陽電池モジュールを設置したい場合であっても、幅方向又は高さ方向において、実質的に隙間なく太陽電池モジュールを設置することが可能である。【００４０】
好ましい様相は、隣接する太陽電池モジュールの間で重なり部分をもって実質的に鉛直方向に並設する太陽電池モジュールの設置方法であって、前記壁面の所定の範囲の高さから前記重なり部分の幅を調整して、前記所定の範囲全域に太陽電池モジュールを設置することである。【００４１】
本様相によれば、所定の範囲内に収まるように太陽電池モジュールを敷き詰めることができる。
【発明の効果】
【００４２】
本発明の太陽電池モジュールの敷設構造及び太陽電池モジュールによれば、太陽電池モジュールによって、端子ボックスが隠され、端子ボックスの存在によって意匠性が低下しない。また、太陽電池モジュールを設置した状態のまま、端子ボックスのメンテナンスを行うことができる。
本発明の太陽電池モジュールの設置方法によれば、所望の範囲に合わせて太陽電池モジュールを敷設可能である。
【図面の簡単な説明】
【００４３】
【図１】本発明の第１実施形態の太陽電池モジュールの敷設構造の設置状況を模式的に示した斜視図である。
【図２】図１の太陽電池モジュールの敷設構造の斜視図である。
【図３】図２の太陽電池モジュールの敷設構造の分解斜視図である。
【図４】図２の太陽電池モジュールの敷設構造の断面図である。
【図５】図２の太陽電池モジュールの敷設構造の要部の断面斜視図である。
【図６】図３の太陽電池モジュールの斜視図である。
【図７】図６の太陽電池モジュールを別の方向からみた斜視図である。
【図８】図６の太陽電池モジュールの平面図である。
【図９】図８の太陽電池パネルの説明図であり、（ａ）は図８のＡ−Ａ断面図であり、（ｂ）は図８のＢ−Ｂ断面図である。
【図１０】図６の太陽電池モジュールの電気回路図である。
【図１１】図６の太陽電池モジュールの要部の分解斜視図である。
【図１２】図６の太陽電池モジュールの断面図である。
【図１３】図３のレール部材の斜視図である。
【図１４】図１の太陽電池モジュールの敷設構造の施工工程の斜視図であり、（ａ）は設置エリアを表す図であり、（ｂ）は（ａ）の設置エリアにレール部材を敷いた図であり、（ｃ）は（ｂ）のレール部材に太陽電池モジュールを敷き詰める際の図である。
【図１５】太陽電池モジュール間の重なり幅を調整する際の説明図であり、（ａ）は重なり幅を小さくする場合の断面図であり、（ｂ）は重なり幅を大きくする場合の断面図である。
【図１６】本発明の第２実施形態の太陽電池モジュールの敷設構造の断面図である。
【図１７】図１６の太陽電池モジュールの斜視図である。
【図１８】本発明の第３実施形態の太陽電池モジュールの平面図である。
【図１９】図１８の太陽電池モジュールのＣ−Ｃ断面図である。
【図２０】図１９の太陽電池モジュールの電気回路図である。
【図２１】本発明の他の実施形態の太陽電池モジュールの敷設構造の斜視図である。
【図２２】本発明の他の実施形態の太陽電池モジュールの敷設構造の断面図である。
【図２３】本発明の他の実施形態の太陽電池モジュールの敷設構造の斜視図である。
【図２４】本発明の他の実施形態の太陽電池モジュールの敷設構造の断面図である。
【図２５】本発明の他の実施形態の太陽電池パネルの断面図であり、（ａ）〜（ｃ）は各実施形態を表す。
【発明を実施するための形態】
【００４４】
以下、本発明の実施形態について詳細に説明する。
【００４５】
本発明の第１実施形態の太陽電池モジュールの敷設構造１（以下、単に敷設構造１ともいう）は、図１に示されるように、ビルの壁面などの地面に対して鉛直方向に立ち上がった壁面１００に対して複数の太陽電池モジュール２を敷設するものである。
敷設構造１は、図２，図３から読み取れるように、複数の太陽電池モジュール２と、一対のレール部材３，４（固定部材）から構成される複数のレール群９を備えている。
太陽電池モジュール２は、図６に示されるように、主要構成部材として、太陽電池パネル５と、接続部材６，７と、端子ボックス８を備えている。
太陽電池パネル５は、面状に広がりをもった板状のパネルであり、多角形状をしたパネルである。本実施形態の太陽電池パネル５は、四角形状のパネルであり、縦方向Ｙに対向する横辺１０，１１と、これら横辺１０，１１を繋ぎ横方向Ｘに対向する縦辺１２，１３を備えている。横辺１０，１１は、横方向Ｘに延びる辺であり、縦辺１２，１３は、縦方向Ｙに延びる辺である。
【００４６】
太陽電池パネル５は、光エネルギーを電気エネルギーに変換可能な発電可能領域１５を備えている。
発電可能領域１５は、受光面１４を構成する領域であって、太陽電池パネル５の大部分を占める領域である。本実施形態の発電可能領域１５は、四角形状の領域であって、受光面１４側の面を正面視したときに太陽電池パネル５の全面積の７０％以上占めている。
【００４７】
太陽電池パネル５の発電可能領域１５は、図８，図９から読み取れるように、複数の太陽電池セル２０が接続された太陽電池ストリング１６，１７，１８，１９（太陽電池セル群）を備えている。
【００４８】
太陽電池パネル５の発電可能領域１５近傍の内部構造に注目すると、太陽電池パネル５は、図９に示されるように、２枚のガラス基板２６，２７の間に光電変換素子２５が介在されており、さらにガラス基板２６，２７の間の隙間に封止材２８が充填されている。
本実施形態の太陽電池パネル５は、ガラス基板２６上に光電変換素子２５が積層された薄膜太陽電池パネルである。すなわち、一方のガラス基板２６は、光電変換素子２５を支持する支持基板であって、封止基板でもあり、他方のガラス基板２７は、ガラス基板２６とともに光電変換素子２５を封止する封止基板である。
【００４９】
光電変換素子２５は、２つの電極層３０，３２の間に光電変換層３１が介在したものである。
一方の電極層３０は、受光面１４側に形成された電極層であり、透明導電層で形成された透明電極層である。電極層３０としては、例えば、酸化インジウム錫（ＩＴＯ）などの透明導電性酸化物が使用できる。
他方の電極層３２は、裏面側（受光面１４と反対側）に形成された裏面電極層であり、金属層で形成された金属電極層である。電極層３２としては、例えば、アルミニウムなどの金属で形成したり、透明導電性酸化物層と金属層の多層構造で形成したりすることができる。
光電変換層３１は、少なくともｐ型半導体層とｎ型半導体層を備えたものであって、ＰＮ接合又はＰＩＮ接合を備えたものである。
【００５０】
発電可能領域１５の横方向Ｘに注目すると、太陽電池パネル５は、図９（ａ）に示されるように、第１電極層３０を分離した第１電極層分離溝３５と、光電変換層３１を分離した電極接続溝３６と、光電変換層３１及び第２電極層３２の双方を分離した素子分離溝３７を備えている。
第１電極層分離溝３５は、光電変換素子２５を複数の太陽電池セル２０に分離する溝である。第１電極層分離溝３５は、ガラス基板２６を底部としており、光電変換層３１が充填されている。すなわち、第１電極層分離溝３５内には、光電変換層３１が進入しており、ガラス基板２６と光電変換層３１が直接接している。
電極接続溝３６は、図９（ａ）に示されるように、隣接する太陽電池セル２０ａ，２０ｂの電極層３１ａ，３０ｂ間を接続する溝である。電極接続溝３６は、他の太陽電池セル２０ｂの第１電極層３０ｂを底部としており、第２電極層３２ａが充填されている。すなわち、電極接続溝３６内には、第２電極層３２ａが進入しており、一方の太陽電池セル２０ａの第２電極層３２ａと他方の太陽電池セル２０ｂの第１電極層３０ｂとが直接接している。言い換えると、隣接する太陽電池セル２０ａ，２０ｂの第２電極層３２ａと第１電極層３０ｂとは、電極接続溝３６を介して電気的に接続されている。
素子分離溝３７は、第１電極層分離溝３５とともに、光電変換素子２５を複数の太陽電池セル２０に分離する溝である。素子分離溝３７は、第１電極層３０を底部としており、封止材２８が充填されている。
【００５１】
横方向Ｘに隣接する太陽電池セル２０ａ，２０ｂは、一方の太陽電池セル２０ａの第２電極層３２ａが他方の太陽電池セル２０ｂの第１電極層３０ｂと電気的に接続されている。すなわち、横方向Ｘに隣接する太陽電池セル２０ａ，２０ｂは、電気的に直列接続されている。
発電可能領域１５において、横方向Ｘに隣接する太陽電池セル２０は、図８，図１０から読み取れるように、それぞれ直列接続されて太陽電池ストリング１６，１７，１８，１９を形成している。
【００５２】
また発電可能領域１５の縦方向Ｙに注目すると、太陽電池パネル５は、図９（ｂ）に示されるように、光電変換層３１及び第２電極層３２の双方を分離した素子分離溝３８を備えている。
素子分離溝３８は、光電変換素子２５を複数の太陽電池セル２０に分離する溝である。素子分離溝３８は、第１電極層３０を底部とする溝であり、封止材２８が充填されている。
【００５３】
縦方向Ｙの隣接する太陽電池セル２０ｃ，２０ｄは、一方の太陽電池セル２０ｃの第１電極層３０ｃと他方の太陽電池セル２０ｄの第１電極層３０ｄが同一の電極層である。すなわち、縦方向Ｙに隣接する太陽電池セル２０ｃ，２０ｄは、第１電極層３０ｃ，３０ｄによって電気的に並列接続されている。
また、縦方向Ｙに隣接する太陽電池ストリング１６，１７，１８，１９は、図８，図１０から読み取れるように、共通の電極層３０を介して並列接続されている。
【００５４】
太陽電池パネル５は、図１０，図１１から読み取れるように、配線部材３３，３４を備えている。配線部材３３，３４は、上記した光電変換素子２５の電極層３０，３２と電気的に接続された配線である。すなわち、一方の配線部材３３は正極配線であり、他方の配線部材３４は負極配線である。
【００５５】
接続部材６，７は、図４に示されるように、一対のレール部材３，４に対して太陽電池パネル５を接続する部材である。
接続部材６，７は、図１２に示されるように、太陽電池パネル５に固定する固定部４０，４１と、レール部材３，４と係合する係合部４２，４３から構成されている。
固定部４０，４１は、断面形状が台形状の部位であり、パネル側壁部４５と、壁側壁部４６と、パネル側壁部４５と壁側壁部４６を接続する側壁部４７，４８を有している。
パネル側壁部４５は、太陽電池パネル５を壁面１００に対して所定の角度で傾斜させる壁部である。すなわち、パネル側壁部４５は、壁面１００に対して所定の角度で傾斜した傾斜面４９を備えており、当該傾斜面４９が太陽電池パネル５の背面と面接触することで太陽電池パネル５を壁面１００に対して傾斜した姿勢で固定することが可能となっている。
本実施形態では、敷設構造１を組み立てたときのパネル側壁部４５の壁面１００に対する傾斜角度は、３度〜７度となっている。すなわち、敷設構造１を組み立てたときの壁面１００に対する太陽電池パネル５の傾斜角度も３度〜７度となっている。
【００５６】
係合部４２，４３は、図４，図１２から読み取れるように、レール部材３，４と係合する部位であり、本体部５０と、本体部５０と壁側壁部４６を接続する接続部５１を備えている。
接続部５１，５１の幅は、本体部５０，５０の幅よりも小さく、固定部４０，４１の幅よりも小さい。
【００５７】
端子ボックス８は、図１１に示されるように、太陽電池パネル５の配線部材３３，３４と接続し、太陽電池パネル５で発生した電気を外部に取り出すものである。
端子ボックス８は、筐体部５２と、蓋部５３（開閉部材）と、取付部５５，５６と、ケーブル部材５７，５８を備えている。
筐体部５２は、太陽電池パネル５の面方向（広がり方向）に開口した筐体であり、その内部に取付部５５，５６と、ケーブル部材５７，５８の一部を収納可能な収納空間６１（内部空間）を有している。
筐体部５２は、四角形状の底面部６５と、底面部６５の三辺から立設された側壁部６６，６７，６８と、底面部６５と対向する天面部６９から構成されている。
収納空間６１は、底面部６５と側壁部６６，６７，６８と天面部６９によって形成された開口７０を介して内外に連通している。
【００５８】
取付部５５，５６は、筐体部５２の収納空間６１内に設けられ、配線部材３３，３４を取り付ける部位である。
取付部５５，５６は、台座５９と、ネジ６０から構成されている。
台座５９は、筐体部５２の開口７０に対向する側壁部６７に設けられている。
ケーブル部材５７，５８は、台座５９又はネジ６０と接続され、台座５９又はネジ６０を介して、対応する配線部材３３，３４と電気的に接続されるケーブルである。
ケーブル部材５７，５８は、筐体部５２の内外に亘って設けられており、その一部が筐体部５２から張り出している。
またケーブル部材５７，５８のうち、一方のケーブル部材５７の長さが他方のケーブル部材５８の長さよりも長い。
【００５９】
蓋部５３は、筐体部５２の開口７０を塞ぐ四角形状の蓋であり、一時締結要素によって筐体部５２に対して着脱可能となっている。すなわち、蓋部５３は、開口７０を開閉可能となっている。
ここでいう「一時締結要素」とは、ねじやピン等の上位概念であり、所定の条件を満たすことによって、着脱可能な締結要素をいう。
【００６０】
レール部材３，４（固定部材）は、図１３に示されるように、断面形状が略「Ｃ」字状の部材であり、所定の方向に直線状に延びた棒状部材である。
レール部材３，４は、壁面１００に取り付けられる取付壁部７５と、取付壁部７５の両端部から立設した立壁部７６，７７と、立壁部７６，７７の立設方向端部から立設した係止壁部７８，７９を備えている。
立壁部７６，７７は、取付壁部７５の端部から同一方向に立ち上がった壁部である。
係止壁部７８，７９は、立壁部７６，７７の立ち上がり方向端部から互いに近接する方向に立ち上がった壁部である。
【００６１】
レール部材３，４は、取付壁部７５、立壁部７６，７７、及び係止壁部７８，７９に囲まれた囲繞空間８０を有している。別の観点からみると、レール部材３，４の係止壁部７８，７９は、囲繞空間８０と外部を連通させる連通溝８１を形成している。
連通溝８１は、スリット状に延びた溝であって、係止壁部７８，７９の立ち上がり方向の先端面を側壁とする溝である。
【００６２】
続いて、第１実施形態の敷設構造１の各構成部材の位置関係について説明する。
まず、太陽電池モジュール２の各構成部位の位置関係について説明する。
太陽電池モジュール２の受光面１４側の面には、図４，図５から読み取れるように、上辺１０側に端子ボックス８が設けられており、下辺１１側に発電可能領域１５が設けられている。具体的には、端子ボックス８は、太陽電池モジュール２の受光面１４側であって、上辺１０側の端部近傍に設けられており、発電可能領域１５は、端子ボックス８を避けるように、下辺１１側に偏って設けられている。また端子ボックス８の開口７０は、太陽電池パネル５の面方向（受光面１４の広がり方向）であって、かつ、太陽電池パネル５の中央側を向いている。すなわち、端子ボックス８の開口７０は、受光面１４に対する直交方向に対して交差する方向を向いている。
【００６３】
接続部材６，７は、図４，図７に示されるように太陽電池パネル５の裏面に設けられている。接続部材６，７は、傾斜方向に所定の間隔を空けて並んでおり、互いに平行となっている。
具体的には、接続部材６，７は、傾斜方向において、太陽電池パネル５の端部から離れた位置、すなわち、中間部に設けられている。本実施形態では、接続部材６，７は、太陽電池パネル５の中央を挟んで配されており、太陽電池パネル５の中央から縦辺１２，１３の１／３の範囲に設けられている。また、接続部材６，７は、左右方向（傾斜方向に対して直交する方向であって上下方向に対しても直交する方向）全体に亘って設けられている。
【００６４】
続いて、各構成部材の位置関係について説明する。
敷設構造１は、図５に示されるように、垂直壁たる壁面１００にレール部材３，４が固定されており、レール部材３，４に太陽電池モジュール２の接続部材６，７が固定されている。
具体的には、レール部材３，４は、図４に示されるように、壁面１００に取付壁部７５，７５が締結要素（図示しない）によって取り付けられており、連通溝８１が壁面１００に対して直交する方向を向いている。
レール部材３，４の囲繞空間８０，８０内に太陽電池モジュール２の係合部４２，４３の一部が挿入されている。具体的には、レール部材３，４は、囲繞空間８０，８０内に係合部４２，４３の本体部５０，５０が配されており、連通溝８１，８１内に接続部５１，５１が位置している。
太陽電池モジュール２は、図４に示されるように、その中間部分がレール部材３，４によって支持されて、傾斜した姿勢で固定されている。また、太陽電池モジュール２の両端部は、自由端となっており、太陽電池モジュール２の下端部と壁面１００の間に空間１０２が形成されている。
【００６５】
敷設構造１は、図５に示されるように上下方向に太陽電池モジュール２が並設されている。
上下方向に隣接する太陽電池モジュール２ａ，２ｂはいずれも壁面１００に対して傾斜しており、太陽電池モジュール２ａ，２ｂは、互いに実質的に平行となっている。すなわち、上方側の太陽電池モジュール２ａの壁面１００に対する傾斜角度は、下方側の太陽電池モジュール２ａの壁面１００に対する傾斜角度とほぼ等しく、±３度以内の差となっている。
【００６６】
上下方向に隣接する太陽電池モジュール２ａ，２ｂのうち、下方側の太陽電池モジュール２ｂは、図４，図５から読み取れるように、その一部が上方側の太陽電池モジュール２ａと壁面１００の空間１０２に配されている。すなわち、壁面１００を正面視したときに、上下方向に隣接した太陽電池モジュール２ａ，２ｂは、一部が壁面１００に対して垂直方向に重なっており、重なり領域８５を形成している。太陽電池モジュール２ａの端部は、正面視したときに、太陽電池モジュール２ｂの発電可能領域１５にかかっている。
【００６７】
下方側の太陽電池モジュール２ｂの端子ボックス８ｂは、上方側の太陽電池モジュール２ａと下方側の太陽電池モジュール２ｂの間の隙間２２であって、重なり部分たる重なり領域８５に位置しており、さらに太陽電池モジュール２ｂの発電可能領域１５の一部も重なり領域８５に位置している。
すなわち、下方側の太陽電池モジュール２ｂの端子ボックス８ｂは、上方側の太陽電池モジュール２ａによって隠されており、正面視したときに、視認不能となっている。また、太陽電池モジュール２ｂの発電可能領域１５に位置する太陽電池ストリング１６，１７，１８，１９（図１０参照）のうち、少なくとも一つの太陽電池ストリング１６の一部又は全部が重なり領域８５に位置している。なお、重なり領域８５に位置する太陽電池ストリング１６と、重なり領域８５から外れて位置する太陽電池ストリング１７，１８，１９は、電気的に並列接続されている。
【００６８】
太陽電池モジュール２ｂの端子ボックス８ｂは、図４の拡大図のように、太陽電池モジュール２ｂの傾斜方向下方側を向いている。
端子ボックス８ｂの蓋部５３は、太陽電池モジュール２ｂの傾斜方向下方側に位置しており、太陽電池パネル５ａ，５ｂの間の隙間２２から外部に露出している。すなわち、端子ボックス８ｂの蓋部５３は、太陽電池モジュール２ｂの受光面１４の広がり方向において、外部に露出している。
また、太陽電池モジュール２ｂの端子ボックス８ｂと、太陽電池モジュール２ａとの間には、隙間が形成されている。
【００６９】
続いて、本発明の第１実施形態の敷設構造１の設置方法について説明する。
【００７０】
まず、図１４（ａ）のように、壁面１００に対して太陽電池モジュール２を設置する設置領域１０１を決定する。
【００７１】
続いて、図１４（ｂ）のように、設置領域１０１の高さに合わせて、レール部材３，４の間隔を調整して、レール部材３，４を敷設する。具体的には、設置領域１０１の高さに合わせて、敷設構造１を組み立てた際に形成される重なり領域８５の幅Ｗが最適となるようにレール部材３，４の位置を調整する。例えば、重なり幅Ｗを小さくする場合には、図１５（ａ）のように、レール群９，９間の間隔Ｄを広げる。また例えば、重なり幅Ｗを大きくする場合には、図１５（ｂ）のように、レール群９，９間の間隔Ｄを狭める。
このとき、レール群９を構成するレール部材３，４は、上下方向に並列されており、それぞれ平行となっている。また、レール群９は、上下方向に等間隔に配されている。
【００７２】
続いて、一対のレール部材３，４に、太陽電池モジュール２の接続部材６，７の係合部４２，４３を挿入し、太陽電池モジュール２を取り付ける。具体的には、図３，図１４（ｃ）から読み取れるように、レール部材３，４の連通溝８１に沿って太陽電池モジュール２をスライドさせて、設置領域１０１に太陽電池モジュール２を敷設し、レール部材３，４と接続部材６，７を係合させる。
以上により、上下方向において、所定の設置領域１０１全域に太陽電池モジュール２を隙間なく敷き詰めることができる。
【００７３】
本実施形態の敷設構造１によれば、上下方向に隣接する太陽電池モジュール２，２間の重なり領域８５の幅Ｗを調整することによって、太陽電池モジュール２の設置面積を調整できるので、限られた範囲に準じて太陽電池モジュール２を配置させることができる。
【００７４】
本実施形態の敷設構造１によれば、太陽電池モジュール２の傾斜方向に太陽電池ストリング１６，１７，１８，１９が並設されており、これらが電気的に並列接続されている。そのため、上方側の太陽電池モジュール２ａの存在によって生じる影が発電可能領域１５の一部にかかっても、ホットスポットが発生することを防止できる。
【００７５】
本実施形態の敷設構造１によれば、端子ボックス８の開口７０が太陽電池モジュール２の傾斜方向を向いており、端子ボックス８が上下方向に隣接する太陽電池パネル５ａ，５ｂの間から露出している。そのため、端子ボックス８の蓋部５３を取り外して、開口７０を開放させることによって、開口７０が外部に露出した状態となる。それ故に、太陽電池モジュール２をレール部材３，４から取り外さなくても、メンテナンス作業が可能である。
【００７６】
続いて、第２実施形態の太陽電池モジュールの敷設構造について説明する。なお、第１実施形態と同様の構成については、同様の符番を付して、説明を省略する。
【００７７】
第２実施形態の太陽電池モジュールの敷設構造は、第１実施形態の敷設構造１と太陽電池モジュールの構造が異なる。
第２実施形態の太陽電池モジュール１２０は、図１７に示されるように、太陽電池パネル５の裏面側（受光面１４側の面と反対側の面）に端子ボックス８が設けられている。
具体的には、太陽電池モジュール１２０の端子ボックス８は、図１６に示されるように、太陽電池モジュール１２０の横辺１１側に設けられている。本実施形態では、端子ボックス８は、太陽電池モジュール１２０の一方の端部に設けられている。
端子ボックス８の開口７０は、太陽電池モジュール１２０の面方向であって、太陽電池パネル５の外側を向いている。
太陽電池モジュール１２０は、発電可能領域１５がほぼ全面に形成されている。
【００７８】
第２実施形態の太陽電池モジュールの敷設構造の各構成部材の位置関係について説明する。
【００７９】
第２実施形態の太陽電池モジュールの敷設構造は、第１実施形態の敷設構造１と同様、上下方向に太陽電池モジュール１２０が並列されている。
上下方向に隣接する太陽電池モジュール１２０ａ，１２０ｂは、正面視したときに重なっており、図１６のように重なり領域８５を形成している。
端子ボックス８は、重なり領域８５であって、太陽電池モジュール１２０ａ，１２０ｂの間に位置している。端子ボックス８は、太陽電池モジュール１２０ａの下辺１１側に設けられており、端子ボックス８の開口７０は、太陽電池パネル５ａの傾斜方向であって下方側を向いている。
【００８０】
第２実施形態の太陽電池モジュールの敷設構造によれば、太陽電池モジュール１２０の裏面側に端子ボックス８を設けている。そのため、端子ボックス８によって発電可能領域１５が遮られず、発電可能領域１５を広範囲とすることができる。
【００８１】
続いて、第３実施形態の太陽電池モジュールの敷設構造について説明する。なお、第１，２実施形態と同様の構成については、同様の符番を付して、説明を省略する。
【００８２】
第３実施形態の太陽電池モジュールの敷設構造は、第１実施形態の敷設構造１と太陽電池パネルの構造が異なる。
【００８３】
第３実施形態の太陽電池パネル１５０は、結晶型の太陽電池パネルである。
太陽電池パネル１５０の発電可能領域１５は、太陽電池パネル１５０の一方の横辺１１側（端子ボックス８とは反対側の辺）に偏っている。
太陽電池パネル１５０の発電可能領域１５は、図１８に示されるように、複数の太陽電池セル１５１が配線部材１５２を介して接続された太陽電池ストリング１５３，１５４，１５５，１５６を備えている。
【００８４】
太陽電池ストリング１５３（１５４，１５５，１５６）は、図１９に示されるように、２枚のガラス基板１５７，１５８の間に介在されており、ガラス基板１５７，１５８の間に封止材１５９が充填されている。
本実施形態の太陽電池セル１５１は、シリコン基板の両面にシリコン半導体層が積層した結晶シリコン型太陽電池パネルである。すなわち、太陽電池セル１５１は、シリコンを主成分とする光電変換部１６１の両面に電極層１６０，１６２が形成されたものである。
光電変換部１６１は、少なくともｐ型半導体層とｎ型半導体層を有し、ＰＮ接合又はＰＩＮ接合を備えている。
【００８５】
発電可能領域１５の横方向Ｘに注目すると、太陽電池パネル１５０は、複数の太陽電池セル１５１が並設され、各太陽電池セル１５１が配線部材１５２を介して直列接続されて太陽電池ストリング１５３，１５４，１５５，１５６を形成している。
すなわち、横方向Ｘに隣接する太陽電池セル１５１ａ，１５１ｂは、図１９に示されるように、一方の太陽電池セル１５１ａの第２電極層１６２ａが他方の太陽電池セル１５１ｂの第１電極層１６０ｂと電気的に接続されている。言い換えると、横方向Ｘに隣接する太陽電池セル１５１ａ，１５１ｂは、電気的に直列接続されている。
【００８６】
発電可能領域１５の縦方向Ｙに注目すると、各太陽電池ストリング１５３，１５４，１５５，１５６の端部は、図１８に示されるように、配線部材１５２を介して、配線部材３３，３４と接続されている。すなわち、縦方向Ｙに隣接する太陽電池ストリング１５３，１５４，１５５，１５６は、図２０に示されるように、電気的に並列接続されている。
【００８７】
第３実施形態の太陽電池モジュールの敷設構造によれば、結晶型の太陽電池パネル１５０を実装しているため、薄膜型の太陽電池パネルを実装する場合に比べて発電効率が高い。
【００８８】
上記した実施形態では、隣接する太陽電池モジュール２ａ，２ｂのうち一方の太陽電池モジュール２ａを他方の太陽電池モジュール２ｂの発電可能領域１５に被せていたが、本発明はこれに限定されるものではない。例えば、一方の太陽電池モジュール２ａを他方の太陽電池モジュール２ｂの発電可能領域１５に被せなくてもよい。
【００８９】
上記した実施形態では、上下方向に太陽電池モジュール２が直線状に整列して並んでいたが、本発明はこれに限定されるものではない。上下方向に隣接する太陽電池モジュールは左右方向にずれていてもよい。例えば、図２１に示されるように、左右方向に隣接する太陽電池モジュール２，２間を跨るように下側又は上側の太陽電池モジュール２が配されていてもよい。
【００９０】
上記した実施形態では、レール部材３，４によって太陽電池モジュール２の中央を支持することで、太陽電池モジュール２の両端が自由端となるようにしたが、本発明はこれに限定されるものではない。太陽電池モジュール２の少なくとも片側端部が自由端となればよい。例えば、図２２に示されるように、太陽電池モジュール２を片持ち状に支持してもよい。
【００９１】
上記した実施形態では、上下方向に隣接する太陽電池モジュール２，２間で重なり部分たる重なり領域８５を形成したが、本発明はこれに限定されるものではない。例えば、図２３に示されるように、左右方向に隣接する太陽電池モジュール２，２間で重なり領域を形成してもよい。
この場合、設置領域１０１の幅から左右方向に隣接する太陽電池モジュール２，２間重なり領域の幅を調整し、レール部材３，４を敷設することが好ましい。
【００９２】
上記した実施形態では、端子ボックス８は、上方側の太陽電池パネル５と下方側の太陽電池パネル５の間の隙間２２に配されて、隙間２２から外部に露出していたが、本発明はこれに限定されるものではない。
例えば、図２４に示すように、上方側の太陽電池パネル５と下方側の太陽電池パネル５の間の隙間２２の一部に隙間２２に対して着脱可能な化粧部材１８０（他の部材）を設けて、隙間２２の一部を塞いでもよい。こうすることによって、太陽電池パネル５の受光面１４の広がり方向から見ても端子ボックス８が見えないのでより意匠性が高い。なお、メンテナンス等の際には、化粧部材１８０を隙間２２から取り外すことによって、端子ボックス８が隙間２２から外部に露出するので、設置状態のまま、メンテナンス作業が可能となる。
【００９３】
上記した実施形態では、設置場所の一例として、ビルの壁面１００の場合について説明したが、本発明はこれに限定されるものではない。例えば、家の壁面やベランダの壁面などに太陽電池モジュール２を敷設してもよい。
【００９４】
上記した第１実施形態では、素子分離溝３８を第１電極層３０が底部に残る深さとし、第１電極層３０を用いて縦方向に隣接する太陽電池セル２０，２０間を電気的に接続したが、本発明はこれに限定されるものではない。素子分離溝３８の設計は特に限定されない。
例えば、図２５（ａ）のように、素子分離溝３８をガラス基板２６に至る深さにして、縦方向に隣接する太陽電池セル２０，２０間を電気的に絶縁してもよい。
また、例えば、図２５（ｂ）のように、素子分離溝３８を形成しなくてもよい。
【００９５】
上記した第１実施形態では、太陽電池セル２０をガラス基板２６の端部まで至らせず、ガラス基板２６の端部に太陽電池セル２０が形成されない領域を形成していたが、本発明はこれに限定されるものではない。図２５（ｃ）のように、太陽電池セル２０をガラス基板２６の端部まで至らせて、ガラス基板２６の端部近傍に太陽電池セル２０を除去した絶縁溝２００を形成してもよい。
【００９６】
上記した実施形態では、壁面１００が鉛直方向に立ち上がった垂直壁である場合について説明したが、本発明はこれに限定されるものでない。壁面１００は実質的に鉛直方向に立ち上がっていればよく、鉛直方向に対して若干傾斜していてもよい。
【符号の説明】
【００９７】
１  太陽電池モジュールの敷設構造
２，１２０  太陽電池モジュール
２ａ  一方の太陽電池モジュール
２ｂ  他方の太陽電池モジュール
３，４  レール部材（固定部材）
８  端子ボックス
１０  上辺
１１  下辺
１５  発電可能領域
１６〜１９，１５３〜１５６  太陽電池ストリング（太陽電池セル群）
２０  太陽電池セル
２２  隙間
３０，１６０  第１電極層（電極層）
３１  光電変換層（光電変換部）
３２，１６２  第２電極層（電極層）
５２  筐体部（筐体）
５３  蓋部（開閉部材）
５７，５８  ケーブル部材
６１  収納空間（内部空間）
７０  開口
８５  重なり領域（重なり部分）
１００  壁面
１６１  光電変換部
１８０  化粧部材（他の部材）
【図１】
2017082351.tif 000003
【図２】
2017082351.tif 000004
【図３】
2017082351.tif 000005
【図４】
2017082351.tif 000006
【図５】
2017082351.tif 000007
【図６】
2017082351.tif 000008
【図７】
2017082351.tif 000009
【図８】
2017082351.tif 000010
【図９】
2017082351.tif 000011
【図１０】
2017082351.tif 000012
【図１１】
2017082351.tif 000013
【図１２】
2017082351.tif 000014
【図１３】
2017082351.tif 000015
【図１４】
2017082351.tif 000016
【図１５】
2017082351.tif 000017
【図１６】
2017082351.tif 000018
【図１７】
2017082351.tif 000019
【図１８】
2017082351.tif 000020
【図１９】
2017082351.tif 000021
【図２０】
2017082351.tif 000022
【図２１】
2017082351.tif 000023
【図２２】
2017082351.tif 000024
【図２３】
2017082351.tif 000025
【図２４】
2017082351.tif 000026
【図２５】
2017082351.tif 000027
【国際調査報告】
2017082351.tif 000028
2017082351.tif 000029
2017082351.tif 000030
2017082351.tif 000031